(57)【要約】【課題】移動する顧客にタイミングよく宣伝をすること。【解決手段】宣伝装置は、表示装置の位置情報を記憶する表示装置情報記憶部と、移動通信端末の位置情報を取得する位置情報取得部（Ｓ２３）と、複数の店舗の位置情報と宣伝情報とを対応させて記憶するコンテンツサーバに移動通信端末の位置情報を送信し、移動通信端末の第１の範囲内にある店舗の宣伝情報をコンテンツサーバから取得する宣伝情報取得部（Ｓ２４）と、移動通信端末の位置情報と表示装置の位置情報とから、移動通信端末が表示装置の第２の範囲内にあるかを判定する判定部（Ｓ２５）と、移動通信端末が表示装置の第２の範囲内にあると判定されたときに、宣伝情報を表示装置に送信する宣伝情報送信部（Ｓ２６）とを備える。【選択図】　　　　図４
2004086594.tif 000002
【特許請求の範囲】
【請求項１】
コンテンツサーバと、表示装置と、宣伝装置とを含む宣伝システムであって、
前記コンテンツサーバは、
複数の店舗の位置情報と宣伝情報とを対応させて記憶する店舗情報記憶手段と、
前記宣伝装置からの移動通信端末の位置情報の受信に応じて、前記移動通信端末の第１の範囲内にある店舗の宣伝情報を前記店舗情報記憶手段から抽出し、前記宣伝情報を前記宣伝装置に送信する宣伝情報提供手段とを備え、
前記表示装置は、
前記宣伝装置からの宣伝情報の受信に応じて、前記宣伝情報を表示する宣伝情報表示手段とを備え、
前記宣伝装置は、
前記表示装置の位置情報を記憶する表示装置情報記憶手段と、
移動通信端末の位置情報を取得する位置情報取得手段と、
前記取得された移動通信端末の位置情報を前記コンテンツサーバに送信し、前記移動通信端末の第１の範囲内にある店舗の宣伝情報を前記コンテンツサーバから取得する宣伝情報取得手段と、
前記取得された移動通信端末の位置情報と前記記憶された表示装置の位置情報とから、前記移動通信端末が前記表示装置の第２の範囲内にあるかを判定する判定手段と、
前記判定手段により前記移動通信端末が前記表示装置の第２の範囲内にあると判定されたときに、前記取得された宣伝情報を前記表示装置に送信する宣伝情報送信手段とを備えた、宣伝システム。
【請求項２】
前記宣伝システムは、端末装置をさらに含み、
前記端末装置は、
店舗の位置情報と宣伝情報とを前記コンテンツサーバに送信する店舗情報送信手段を備え、
前記コンテンツサーバは、
前記端末装置からの前記店舗の位置情報と宣伝情報との受信に応じて、その位置情報と宣伝情報とを前記店舗情報記憶手段に記憶させる店舗情報登録手段をさらに備える、請求項１に記載の宣伝システム。
【請求項３】
表示装置の位置情報を記憶する表示装置情報記憶手段と、
移動通信端末の位置情報を取得する位置情報取得手段と、
複数の店舗の位置情報と宣伝情報とを対応させて記憶するコンテンツサーバに前記取得された移動通信端末の位置情報を送信し、前記移動通信端末の第１の範囲内にある店舗の宣伝情報を前記コンテンツサーバから取得する宣伝情報取得手段と、
前記取得された移動通信端末の位置情報と前記記憶された表示装置の位置情報とから、前記移動通信端末が前記表示装置の第２の範囲内にあるかを判定する判定手段と、
前記判定手段により前記移動通信端末が前記表示装置の第２の範囲内にあると判定されたときに、前記取得された宣伝情報を前記表示装置に送信する宣伝情報送信手段とを備えた、宣伝装置。
【請求項４】
前記表示装置は、複数であり、
前記判定手段は、前記複数の表示装置それぞれについて、前記移動通信端末がその表示装置の第２の範囲内にあるかを判定し、
前記宣伝情報送信手段は、前記判定手段により前記移動通信端末が第２の範囲内にあると判定された表示装置に前記取得された宣伝情報を送信する、請求項３に記載の宣伝装置。
【請求項５】
前記宣伝装置に接続された端末装置からの前記表示装置の位置情報の受信に応じて、その位置情報を前記表示装置情報記憶手段に記憶させる表示装置情報登録手段とをさらに備えた、請求項４に記載の宣伝装置。
【請求項６】
表示装置の位置情報を記憶する表示装置情報記憶手段と、
複数の店舗の位置情報と宣伝情報とを対応させて記憶する店舗情報記憶手段と、
移動通信端末の位置情報を取得する位置情報取得手段と、
前記取得された移動通信端末の位置情報と前記記憶された複数の店舗の位置情報とから、前記移動通信端末の第１の範囲内にある店舗の宣伝情報を前記店舗情報記憶手段から抽出する宣伝情報抽出手段と、
前記取得された移動通信端末の位置情報と前記記憶された表示装置の位置情報とから、前記移動通信端末が前記表示装置の第２の範囲内にあるかを判定する判定手段と、
前記判定手段により前記移動通信端末が前記表示装置の第２の範囲内にあると判定されたときに、前記抽出された宣伝情報を前記表示装置に送信する宣伝情報送信手段とを備えた、宣伝装置。
【請求項７】
移動通信端末の位置情報を取得する位置情報取得手段と、
複数の店舗の位置情報と宣伝情報とを対応させて記憶するコンテンツサーバに前記取得された移動通信端末の位置情報を送信し、前記移動通信端末の第１の範囲内にある店舗の宣伝情報を前記コンテンツサーバから取得する宣伝情報取得手段と、
前記取得された店舗の宣伝情報を前記移動通信端末に送信する宣伝情報送信手段とを備えた、宣伝装置。
【請求項８】
前記宣伝情報送信手段は、電子メールで送信する、請求項７に記載の宣伝装置。
【請求項９】
前記宣伝情報は、店舗に関する情報のアドレス情報を含む、請求項７に記載の宣伝装置。
【請求項１０】
複数の店舗の位置情報と宣伝情報とを対応させて記憶する店舗情報記憶手段と、
移動通信端末の位置情報を取得する位置情報取得手段と、
前記取得された移動通信端末の位置情報と前記記憶された複数の店舗の位置情報とから、前記移動通信端末の第１の範囲内にある店舗の宣伝情報を前記店舗情報記憶手段から抽出する宣伝情報抽出手段と、
前記抽出された店舗の宣伝情報を前記移動通信端末に送信する宣伝情報送信手段とを備えた、宣伝装置。
【請求項１１】
表示装置の位置情報を記憶する表示装置記憶手段を有する宣伝装置で宣伝をする宣伝方法であって、
移動通信端末の位置情報を取得するステップと、
複数の店舗の位置情報と宣伝情報とを対応させて記憶するコンテンツサーバに前記取得された移動通信端末の位置情報を送信し、前記移動通信端末の第１の範囲内にある店舗の宣伝情報を前記コンテンツサーバから取得するステップと、
前記取得された移動通信端末の位置情報と前記記憶された表示装置の位置情報とから、前記移動通信端末が前記表示装置の第２の範囲内にあるかを判定するステップと、
前記移動通信端末が前記表示装置の第２の範囲内にあると判定されたときに、前記取得された宣伝情報を前記表示装置に送信するステップとを含む、宣伝方法。
【請求項１２】
宣伝装置で宣伝をする宣伝方法であって、
移動通信端末の位置情報を取得するステップと、
複数の店舗の位置情報と宣伝情報とを対応させて記憶するコンテンツサーバに前記取得された移動通信端末の位置情報を送信し、前記移動通信端末の第１の範囲内にある店舗の宣伝情報を前記コンテンツサーバから取得するステップと、
前記取得された店舗の宣伝情報を前記移動通信端末に送信するステップとを含む、宣伝方法。
【請求項１３】
表示装置の位置情報を記憶する表示装置記憶手段を有する宣伝装置で実行される宣伝プログラムであって、
移動通信端末の位置情報を取得するステップと、
複数の店舗の位置情報と宣伝情報とを対応させて記憶するコンテンツサーバに前記取得された移動通信端末の位置情報を送信し、前記移動通信端末の第１の範囲内にある店舗の宣伝情報を前記コンテンツサーバから取得するステップと、
前記取得された移動通信端末の位置情報と前記記憶された表示装置の位置情報とから、前記移動通信端末が前記表示装置の第２の範囲内にあるかを判定するステップと、
前記移動通信端末が前記表示装置の第２の範囲内にあると判定されたときに、前記取得された宣伝情報を前記表示装置に送信するステップとを前記宣伝装置に実行させる、宣伝プログラム。
【請求項１４】
移動通信端末の位置情報を取得するステップと、
複数の店舗の位置情報と宣伝情報とを対応させて記憶するコンテンツサーバに前記取得された移動通信端末の位置情報を送信し、前記移動通信端末の第１の範囲内にある店舗の宣伝情報を前記コンテンツサーバから取得するステップと、
前記取得された店舗の宣伝情報を前記移動通信端末に送信するステップとを宣伝装置に実行させる、宣伝プログラム。
【請求項１５】
請求項１３，１４のいずれかに記載の宣伝プログラムを記録したコンピュータ読取可能な記録媒体。
【発明の詳細な説明】
【０００１】
【発明の属する技術分野】
本発明は、宣伝システム、宣伝装置、宣伝方法、宣伝プログラム、および、宣伝プログラムを記録したコンピュータ読取可能な記録媒体に関し、特に、位置情報を用いて宣伝をするのに適した宣伝システム、宣伝装置、宣伝方法、宣伝プログラム、および、宣伝プログラムを記録したコンピュータ読取可能な記録媒体に関する。
【０００２】
【従来の技術】
従来から、店頭に電光掲示板を設置して、宣伝が行われている。電光掲示板で宣伝する場合は、予め順番に記録された複数の商品またはサービスの宣伝内容を切替えながら繰返し再生している。
【０００３】
最近は、電子メールにより、無作為に抽出された者に対して、あるいは、商品またはサービスの提供者の会員に対して宣伝メールを送信することによって、宣伝をする方法が普及しつつある。
【０００４】
【発明が解決しようとする課題】
しかしながら、電光掲示板で宣伝する場合、顧客が電光掲示板を通過する際に、最もアピールしたい宣伝が再生されず、宣伝のタイミングが悪いといった問題がある。さらに、電子メールで宣伝メールを送信しても、顧客が店舗の近辺にいない場合は、すぐに来店できず、時間がたつと顧客が宣伝の内容を忘れてしまうため、結局、顧客を来店させることができない。このように顧客に宣伝するときの顧客の位置を考慮することができないといった問題がある。
【０００５】
この発明は上述の問題点を解決するためになされたもので、この発明の目的の１つは、移動する顧客にタイミングよく宣伝をすることが可能な宣伝システム、宣伝装置、宣伝方法、宣伝プログラム、および、宣伝プログラムを記録したコンピュータ読取可能な記録媒体を提供することである。
【０００６】
【課題を解決するための手段】
上述の目的を達成するためにこの発明のある局面によれば、宣伝システムは、コンテンツサーバと、表示装置と、宣伝装置とを含み、
コンテンツサーバは、複数の店舗の位置情報と宣伝情報とを対応させて記憶する店舗情報記憶手段と、宣伝装置からの移動通信端末の位置情報の受信に応じて、移動通信端末の第１の範囲内にある店舗の宣伝情報を店舗情報記憶手段から抽出し、宣伝情報を宣伝装置に送信する宣伝情報提供手段とを備え、
表示装置は、宣伝装置からの宣伝情報の受信に応じて、宣伝情報を表示する宣伝情報表示手段とを備え、
宣伝装置は、表示装置の位置情報を記憶する表示装置情報記憶手段と、移動通信端末の位置情報を取得する位置情報取得手段と、取得された移動通信端末の位置情報をコンテンツサーバに送信し、移動通信端末の第１の範囲内にある店舗の宣伝情報をコンテンツサーバから取得する宣伝情報取得手段と、取得された移動通信端末の位置情報と記憶された表示装置の位置情報とから、移動通信端末が表示装置の第２の範囲内にあるかを判定する判定手段と、判定手段により移動通信端末が表示装置の第２の範囲内にあると判定されたときに、取得された宣伝情報を表示装置に送信する宣伝情報送信手段とを備える。
【０００７】
この発明に従えば、宣伝装置により、移動通信端末の位置情報が取得され、その位置情報がコンテンツサーバへ送信される。そして、コンテンツサーバにより、その位置情報の受信に応じて、移動通信端末の第１の範囲内にある店舗の宣伝情報が店舗情報記憶手段から抽出され、宣伝装置に送信される。次に、宣伝装置により、その宣伝情報がコンテンツサーバから取得され、移動通信端末の位置情報と表示装置の位置情報とから、移動通信端末が表示装置の第２の範囲内にあると判定されたときに、その宣伝情報が表示装置に送信される。そして、表示装置により、その宣伝情報の受信に応じて、その宣伝情報が表示される。このため、移動通信端末を所持する顧客の第１の範囲内にある店舗の宣伝が、顧客が表示装置の第２の範囲内にいるときに、表示装置に表示されるので、顧客の位置に近い店舗の宣伝を顧客が見ることができるタイミングで表示することができる。その結果、移動する顧客にタイミングよく宣伝をすることが可能な宣伝システムを提供することができる。
【０００８】
好ましくは、宣伝システムは、端末装置をさらに含み、端末装置は、店舗の位置情報と宣伝情報とをコンテンツサーバに送信する店舗情報送信手段を備え、
コンテンツサーバは、端末装置からの店舗の位置情報と宣伝情報との受信に応じて、その位置情報と宣伝情報とを店舗情報記憶手段に記憶させる店舗情報登録手段をさらに備える。
【０００９】
この発明に従えば、端末装置による店舗の位置情報と宣伝情報との送信に応じて、コンテンツサーバにより、その位置情報と宣伝情報とが記憶される。このため、端末装置からコンテンツサーバに店舗の位置情報と宣伝情報とを記憶させることができる。
【００１０】
この発明の他の局面によれば、宣伝装置は、表示装置の位置情報を記憶する表示装置情報記憶手段と、移動通信端末の位置情報を取得する位置情報取得手段と、複数の店舗の位置情報と宣伝情報とを対応させて記憶するコンテンツサーバに取得された移動通信端末の位置情報を送信し、移動通信端末の第１の範囲内にある店舗の宣伝情報をコンテンツサーバから取得する宣伝情報取得手段と、取得された移動通信端末の位置情報と記憶された表示装置の位置情報とから、移動通信端末が表示装置の第２の範囲内にあるかを判定する判定手段と、判定手段により移動通信端末が表示装置の第２の範囲内にあると判定されたときに、取得された宣伝情報を表示装置に送信する宣伝情報送信手段とを備える。
【００１１】
この発明に従えば、移動通信端末の位置情報が取得され、コンテンツサーバにその移動通信端末の位置情報が送信され、移動通信端末の第１の範囲内にある店舗の宣伝情報がコンテンツサーバから取得される。そして、移動通信端末の位置情報と表示装置の位置情報とから、移動通信端末が表示装置の第２の範囲内にあると判定されたときに、取得された宣伝情報が表示装置に送信される。このため、移動通信端末を所持する顧客の第１の範囲内にある店舗の宣伝が、顧客が表示装置の第２の範囲内にいるときに、表示装置に送信されるので、顧客の位置に近い店舗の宣伝を顧客が見ることができるタイミングで表示装置に送信することができる。その結果、移動する顧客にタイミングよく宣伝をすることが可能な宣伝装置を提供することができる。
【００１２】
好ましくは、表示装置は、複数であり、判定手段は、複数の表示装置それぞれについて、移動通信端末がその表示装置の第２の範囲内にあるかを判定し、宣伝情報送信手段は、判定手段により移動通信端末が第２の範囲内にあると判定された表示装置に取得された宣伝情報を送信する。
【００１３】
この発明に従えば、宣伝装置により、複数の表示装置それぞれについて、移動通信端末がその表示装置の第２の範囲内にあるかが判定され、移動通信端末が第２の範囲内にあると判定された表示装置に取得された宣伝情報が送信される。このため、移動通信端末を所持する顧客が第２の範囲内にいる表示装置に店舗の宣伝が送信されるので、顧客が見ることができるタイミングで顧客がみることができる表示装置に店舗の宣伝を送信することができる。その結果、移動する顧客にタイミングよく宣伝をすることができる。また、表示装置が複数あるので、宣伝する機会を増やすことができる。
【００１４】
好ましくは、宣伝装置に接続された端末装置からの表示装置の位置情報の受信に応じて、その位置情報を表示装置情報記憶手段に記憶させる表示装置情報登録手段とをさらに備える。
【００１５】
この発明に従えば、宣伝装置に接続された端末装置からの表示装置の位置情報の受信に応じて、その位置情報が記憶される。このため、端末装置から宣伝装置に表示装置の位置情報を記憶させることができる。また、表示装置を複数登録することにより、宣伝できる店舗を増やすことができ、宣伝可能な範囲を拡大できる。
【００１６】
この発明のさらに他の局面によれば、宣伝装置は、表示装置の位置情報を記憶する表示装置情報記憶手段と、複数の店舗の位置情報と宣伝情報とを対応させて記憶する店舗情報記憶手段と、移動通信端末の位置情報を取得する位置情報取得手段と、取得された移動通信端末の位置情報と記憶された複数の店舗の位置情報とから、移動通信端末の第１の範囲内にある店舗の宣伝情報を店舗情報記憶手段から抽出する宣伝情報抽出手段と、取得された移動通信端末の位置情報と記憶された表示装置の位置情報とから、移動通信端末が表示装置の第２の範囲内にあるかを判定する判定手段と、判定手段により移動通信端末が表示装置の第２の範囲内にあると判定されたときに、抽出された宣伝情報を表示装置に送信する宣伝情報送信手段とを備える。
【００１７】
この発明に従えば、移動通信端末の位置情報が取得され、取得された移動通信端末の位置情報と記憶された複数の店舗の位置情報とから、移動通信端末の第１の範囲内にある店舗の宣伝情報が抽出される。そして、取得された移動通信端末の位置情報と記憶された表示装置の位置情報とから、移動通信端末が表示装置の第２の範囲内にあると判定されたときに、抽出された宣伝情報が表示装置に送信される。このため、移動通信端末を所持する顧客の第１の範囲内にある店舗の宣伝が、顧客が表示装置の第２の範囲内にいるときに、表示装置に送信されるので、顧客の位置に近い店舗の宣伝を顧客が見ることができるタイミングで表示装置に送信することができる。その結果、移動する顧客にタイミングよく宣伝をすることが可能な宣伝装置を提供することができる。
【００１８】
この発明のさらに他の局面によれば、宣伝装置は、移動通信端末の位置情報を取得する位置情報取得手段と、複数の店舗の位置情報と宣伝情報とを対応させて記憶するコンテンツサーバに取得された移動通信端末の位置情報を送信し、移動通信端末の第１の範囲内にある店舗の宣伝情報をコンテンツサーバから取得する宣伝情報取得手段と、取得された店舗の宣伝情報を移動通信端末に送信する宣伝情報送信手段とを備える。
【００１９】
この発明に従えば、移動通信端末の位置情報が取得され、コンテンツサーバにその位置情報が送信され、移動通信端末の第１の範囲内にある店舗の宣伝情報がコンテンツサーバから取得され、その店舗の宣伝情報が移動通信端末に送信される。このため、移動通信端末を所持する顧客の第１の範囲内にある店舗の宣伝が顧客の移動通信端末に送信される。その結果、移動する顧客にタイミングよく宣伝をすることが可能な宣伝装置を提供することができる。
【００２０】
好ましくは、宣伝情報送信手段は、電子メールで送信する。
この発明に従えば、既存の電子メールシステムで店舗の宣伝を送信することができるため、新たに店舗の宣伝を送信するシステムを設置しなくても、容易に店舗の宣伝を送信することができる。
【００２１】
好ましくは、宣伝情報は、店舗に関する情報のアドレス情報を含む。
この発明に従えば、移動通信端末に送信される宣伝情報に店舗に関する情報のアドレス情報が含まれる。このため、顧客がそのアドレス情報の店舗に関する情報を見ることで、さらに店舗の宣伝をすることができる。
【００２２】
この発明のさらに他の局面によれば、宣伝装置は、複数の店舗の位置情報と宣伝情報とを対応させて記憶する店舗情報記憶手段と、移動通信端末の位置情報を取得する位置情報取得手段と、取得された移動通信端末の位置情報と記憶された複数の店舗の位置情報とから、移動通信端末の第１の範囲内にある店舗の宣伝情報を店舗情報記憶手段から抽出する宣伝情報抽出手段と、抽出された店舗の宣伝情報を移動通信端末に送信する宣伝情報送信手段とを備える。
【００２３】
この発明に従えば、移動通信端末の位置情報が取得され、その位置情報と記憶された複数の店舗の位置情報とから、移動通信端末の第１の範囲内にある店舗の宣伝情報が抽出され、その店舗の宣伝情報が移動通信端末に送信される。このため、移動通信端末を所持する顧客の第１の範囲内にある店舗の宣伝が顧客の移動通信端末に送信される。その結果、移動する顧客にタイミングよく宣伝をすることが可能な宣伝装置を提供することができる。
【００２４】
この発明のさらに他の局面によれば、宣伝方法は、表示装置の位置情報を記憶する表示装置記憶手段を有する宣伝装置で宣伝をする方法であって、移動通信端末の位置情報を取得するステップと、複数の店舗の位置情報と宣伝情報とを対応させて記憶するコンテンツサーバに取得された移動通信端末の位置情報を送信し、移動通信端末の第１の範囲内にある店舗の宣伝情報をコンテンツサーバから取得するステップと、取得された移動通信端末の位置情報と記憶された表示装置の位置情報とから、移動通信端末が表示装置の第２の範囲内にあるかを判定するステップと、移動通信端末が表示装置の第２の範囲内にあると判定されたときに、取得された宣伝情報を表示装置に送信するステップとを含む。
【００２５】
この発明に従えば、移動する顧客にタイミングよく宣伝をすることが可能な宣伝方法を提供することができる。
【００２６】
この発明のさらに他の局面によれば、宣伝方法は、宣伝装置で宣伝をする方法であって、移動通信端末の位置情報を取得するステップと、複数の店舗の位置情報と宣伝情報とを対応させて記憶するコンテンツサーバに取得された移動通信端末の位置情報を送信し、移動通信端末の第１の範囲内にある店舗の宣伝情報をコンテンツサーバから取得するステップと、取得された店舗の宣伝情報を移動通信端末に送信するステップとを含む。
【００２７】
この発明に従えば、移動する顧客にタイミングよく宣伝をすることが可能な宣伝方法を提供することができる。
【００２８】
この発明のさらに他の局面によれば、宣伝プログラムは、表示装置の位置情報を記憶する表示装置記憶手段を有する宣伝装置で実行されるプログラムであって、移動通信端末の位置情報を取得するステップと、複数の店舗の位置情報と宣伝情報とを対応させて記憶するコンテンツサーバに取得された移動通信端末の位置情報を送信し、移動通信端末の第１の範囲内にある店舗の宣伝情報をコンテンツサーバから取得するステップと、取得された移動通信端末の位置情報と記憶された表示装置の位置情報とから、移動通信端末が表示装置の第２の範囲内にあるかを判定するステップと、移動通信端末が表示装置の第２の範囲内にあると判定されたときに、取得された宣伝情報を表示装置に送信するステップとを宣伝装置に実行させる。
【００２９】
この発明に従えば、移動する顧客にタイミングよく宣伝をすることが可能な宣伝プログラムおよび宣伝プログラムを記録したコンピュータ読取可能な記録媒体を提供することができる。
【００３０】
この発明のさらに他の局面によれば、宣伝プログラムは、移動通信端末の位置情報を取得するステップと、複数の店舗の位置情報と宣伝情報とを対応させて記憶するコンテンツサーバに取得された移動通信端末の位置情報を送信し、移動通信端末の第１の範囲内にある店舗の宣伝情報をコンテンツサーバから取得するステップと、取得された店舗の宣伝情報を移動通信端末に送信するステップとを宣伝装置に実行させる。
【００３１】
この発明に従えば、移動する顧客にタイミングよく宣伝をすることが可能な宣伝プログラムおよび宣伝プログラムを記録したコンピュータ読取可能な記録媒体を提供することができる。
【００３２】
【発明の実施の形態】
以下、本発明の実施の形態について、図面を参照して説明する。なお、図中同一符号は同一または相当する部材を示し、重複する説明は繰返さない。
【００３３】
［第１の実施の形態］
図１は、本発明の実施の形態の１つにおける宣伝システムの概略を示す図である。図１を参照して、宣伝システムは、コンテンツサーバ３００から店舗の宣伝情報を取得して表示装置２００，２００Ａに送信する宣伝装置１００，１００Ａと、宣伝装置１００，１００Ａから宣伝情報を受信し表示する表示装置２００，２００Ａと、宣伝情報を宣伝装置１００，１００Ａに提供するコンテンツサーバ３００と、店舗の顧客に所持され位置情報を宣伝装置１００，１００Ａに提供する移動通信端末４００，４００Ａと、店舗の顧客の移動通信端末４００，４００Ａの位置情報を宣伝装置１００，１００Ａに提供する通信事業者サーバ５００と、コンテンツサーバや宣伝装置に情報を登録する端末装置６００とを含む。
【００３４】
宣伝装置１００，１００Ａは、パーソナルコンピュータ（以下、ＰＣ（Ｐｅｒｓｏｎａｌ　Ｃｏｍｐｕｔｅｒ）という）などのコンピュータで構成され、ネットワーク７００を介して、コンテンツサーバ３００、通信事業者サーバ５００、および、端末装置６００と接続され、それぞれと通信することが可能である。宣伝装置１００，１００Ａは、移動通信端末４００，４００Ａの位置情報を取得し、取得された位置情報をコンテンツサーバ３００に送信し、移動通信端末４００，４００Ａの第１の範囲内にある店舗の宣伝情報をコンテンツサーバ３００から取得する。そして、取得された移動通信端末４００，４００Ａの位置情報と、記憶された表示装置の位置情報とから、表示装置２００，２００Ａそれぞれについて、移動通信端末４００，４００Ａが表示装置の第２の範囲内にあるか否かを判定し、第２の範囲内にあると判定されたときに、取得された宣伝情報をその表示装置に送信する。第１あるいは第２の範囲内にあるか否かの判定は、カーナビゲーションシステムなどで用いられているような技術を用いることで実現することができる。
【００３５】
移動通信端末４００，４００Ａの第１の範囲とは、移動通信端末の位置を基準に予め定められた範囲であり、たとえば、移動通信端末から半径１ｋｍの範囲、あるいは、移動通信端末から徒歩１０分の範囲などのことである。本実施の形態においては、以下、移動通信端末４００，４００Ａの第１の範囲を移動通信端末から半径１ｋｍの範囲として説明することとする。
【００３６】
表示装置２００，２００Ａそれぞれについての第２の範囲とは、表示装置の位置を基準に表示装置ごとに予め定められた範囲であり、たとえば、表示装置２００，２００Ａのそれぞれについて、移動通信端末の位置から表示装置に表示されている情報を見ることができる可視範囲、表示装置から半径１００ｍの範囲、あるいは、表示装置から徒歩１分の範囲などのことである。本実施の形態においては、以下、表示装置２００，２００Ａごとの第２の範囲を表示装置２００，２００Ａごとの可視範囲として説明することとする。第１あるいは第２の範囲内にあるか否かの判定は、カーナビゲーションシステムなどで用いられているような技術を用いることで実現することができる。
【００３７】
表示装置２００，２００Ａは、液晶、ＣＲＴ（Ｃａｔｈｏｄｅ　Ｒａｙ　Ｔｕｂｅ）、ＦＥＤ（Ｆｉｅｌｄ　Ｅｍｉｓｓｉｏｎ　Ｄｉｓｐｌａｙ）、ＰＤＰ（Ｐｌａｓｍａ　Ｄｉｓｐｌａｙ　Ｐａｎｅｌ）、ドットマトリクス、７セグメント等のＬＥＤ（Ｌｉｇｈｔ　Ｅｍｉｔｔｉｎｇ　Ｄｉｏｄｅ）、ＥＬ（ＥｌｅｃｔｒｏＬｕｍｉｎｅｓｃｅｎｃｅ）、ＶＦＤ（Ｖａｃｕｕｍ　Ｆｌｕｏｒｅｓｃｅｎｔ　Ｄｉｓｐｌａｙ）、ＤＭＤ（Ｄｉｇｉｔａｌ　Ｍｉｃｒｏｍｉｒｒｏｒ　Ｄｅｖｉｃｅ）などの方式の表示装置であり通信機能を備え、店舗の店頭や街頭のビルの壁面などに設置される。また、表示装置２００，２００Ａは、直接、あるいは、ネットワーク７００を介して宣伝装置１００，１００Ａと接続され、宣伝装置１００，１００Ａからの宣伝情報の受信に応じて、宣伝情報を表示する。
【００３８】
コンテンツサーバ３００は、ワークステーション（以下、ＷＳ（ＷｏｒｋＳｔａｔｉｏｎ）という）などのコンピュータで構成され、ネットワーク７００を介して、宣伝装置１００，１００Ａ、および、端末装置６００と接続され、それぞれと通信することが可能である。コンテンツサーバ３００は、宣伝装置１００，１００Ａからの移動通信端末４００，４００Ａの位置情報の受信に応じて、移動通信端末の半径１ｋｍの範囲内にある店舗の宣伝情報を抽出し、宣伝装置１００，１００Ａに送信する。
【００３９】
移動通信端末４００，４００Ａは、位置情報を取得する機能を備えるＧＰＳ（Ｇｌｏｂａｌ　Ｐｏｓｉｔｉｏｎｉｎｇ　Ｓｙｓｔｅｍ）機能付携帯電話やＰＨＳ（Ｐｅｒｓｏｎａｌ　Ｈａｎｄｙｐｈｏｎｅ　Ｓｙｓｔｅｍ）であり、通信事業者サーバ５００およびネットワーク７００を介して宣伝装置１００，１００Ａに、取得した位置情報を提供する。また、移動通信端末４００，４００Ａを所持する顧客は、位置情報を提供することを承諾する契約を店舗と予め交わしておく。そして、顧客の移動通信端末４００，４００Ａに、宣伝装置１００，１００Ａからの要求に対して位置情報を宣伝装置１００，１００Ａに送信するためのアプリケーションソフトを導入しておく。あるいは、店舗は、そのようなアプリケーションソフトを予め導入した移動通信端末を顧客に無償で提供するようにしてもよい。また、店舗は、顧客が位置情報を提供する代償として、その店舗の商品またはサービスを顧客が購入するときにその対価の一部を割引くようにしてもよい。
【００４０】
通信事業者サーバ５００は、通信事業者に設置され、移動通信端末４００，４００Ａとネットワーク７００に接続されたコンピュータとの通信を中継するコンピュータである。通信事業者サーバ５００は、移動通信端末４００，４００Ａから送信された位置情報を、ネットワーク７００を介して、宣伝装置１００，１００Ａに送信する。
【００４１】
端末装置６００は、ＰＣなどのコンピュータで構成され、ネットワーク７００を介して、宣伝装置１００，１００Ａ、および、コンテンツサーバ３００と接続される。端末装置６００は、店舗の位置情報や宣伝情報、あるいは、表示装置２００，２００Ａの位置情報をコンテンツサーバ３００、あるいは、宣伝装置１００，１００Ａに登録する。
【００４２】
ネットワーク７００は、ＷＡＮ（Ｗｉｄｅ　Ａｒｅａ　Ｎｅｔｗｏｒｋ）およびＬＡＮ（Ｌｏｃａｌ　Ａｒｅａ　Ｎｅｔｗｏｒｋ）などの公衆通信回線網および専用通信回線網などで構成され、宣伝装置１００，１００Ａ、表示装置２００，２００Ａ、コンテンツサーバ３００、通信事業者サーバ５００、および、端末装置６００をそれぞれ接続する。
【００４３】
図２は、本発明の実施の形態における宣伝装置１００の構成の概略を示すブロック図である。図２を参照して、宣伝装置１００は、宣伝装置１００の全体を制御するための制御部１１０と、所定の情報を記憶するための記憶部１２０と、宣伝装置１００に所定の情報を入力するための入力部１３０と、宣伝装置１００から所定の情報を出力するための出力部１４０と、宣伝装置１００をネットワーク７００と接続するための通信部１５０と、記録媒体１６１に必要な情報を記録するための外部記憶装置１６０とを含む。また、制御部１１０と、記憶部１２０と、入力部１３０と、出力部１４０と、通信部１５０と、外部記憶装置１６０とは、バスを介して、互いに接続される。
【００４４】
制御部１１０は、プログラムにしたがって所定の処理を実行するためのＣＰＵ（Ｃｅｎｔｒａｌ　Ｐｒｏｃｅｓｓｉｎｇ　Ｕｎｉｔ）と、制御部１１０でプログラムを実行するために必要な作業領域として用いられるＲＡＭ（Ｒａｎｄｏｍ　Ａｃｃｅｓｓ　Ｍｅｍｏｒｙ）と、制御部１１０で実行するためのプログラムを記憶するためのＲＯＭ（Ｒｅａｄ　Ｏｎｌｙ　Ｍｅｍｏｒｙ）とを含む。
【００４５】
記憶部１２０は、ハードディスクドライブ（ＨＤＤ，Ｈａｒｄ　Ｄｉｓｋ　Ｄｒｉｖｅ）等の磁気ディスク記憶装置である。磁気ディスク記憶装置に代えて、光磁気ディスク記憶装置や、光ディスク記憶装置等を用いることもできる。
【００４６】
入力部１３０は、キーボード、マウス等であり、宣伝装置１００に必要な情報を入力することができる。
【００４７】
出力部１４０は、液晶またはＣＲＴ等のディスプレイであり、宣伝装置１００から必要な情報を出力することができる。
【００４８】
通信部１５０は、宣伝装置１００をネットワーク７００に接続するための通信インターフェイスである。宣伝装置１００は、通信部１５０を介して、ネットワーク７００に接続された他のコンピュータと必要な情報を送受信する。
【００４９】
外部記憶装置１６０は、記録媒体１６１に記録されたプログラムやデータを読込み、制御部１１０に送信する。また、外部記憶装置１６０は、制御部１１０からの指示により、記録媒体１６１に必要な情報を書込む。
【００５０】
コンピュータ読取可能な記録媒体１６１としては、磁気テープ、カセットテープ、フロッピー（Ｒ）ディスク、ハードディスク等の磁気ディスク、ＣＤ−ＲＯＭ（Ｃｏｍｐａｃｔ　Ｄｉｓｋ　Ｒｅａｄ　Ｏｎｌｙ　Ｍｅｍｏｒｙ）、ＤＶＤ（Ｄｉｇｉｔａｌ　Ｖｅｒｓａｔｉｌｅ　Ｄｉｓｋ）等の光ディスク、ＭＯ（Ｍａｇｎｅｔｏ　Ｏｐｔｉｃａｌ　ｄｉｓｋ）、ＭＤ（ＭｉｎｉＤｉｓｃ）等の光磁気ディスク、ＩＣカード、光カード等のメモリカード、あるいは、マスクＲＯＭ，ＥＰＲＯＭ（Ｅｒａｓａｂｌｅ　Ｐｒｏｇｒａｍｍａｂｌｅ　Ｒｅａｄ　Ｏｎｌｙ　Ｍｅｍｏｒｙ）、ＥＥＰＲＯＭ（Ｅｌｅｃｔｒｉｏｎｉｃａｌｌｙ　Ｅｒａｓａｂｌｅ　ａｎｄ　Ｐｒｏｇｒａｍｍａｂｌｅ　Ｒｅａｄ　Ｏｎｌｙ　Ｍｅｍｏｒｙ）、フラッシュＲＯＭ等の半導体メモリを含めた、固定的にプログラムを担持する記録媒体である。
【００５１】
図３は、第１の実施の形態における宣伝装置１００およびコンテンツサーバ３００の制御部１１０，３１０の機能の概略を示す機能ブロック図である。図３を参照して、宣伝装置１００の制御部１１０は、位置情報取得部１１１と、宣伝情報取得部１１２と、判定部１１３と、宣伝情報送信部１１４とを含む。また、宣伝装置１００の制御部１１０は、表示装置情報登録部１１５を選択的に含む。宣伝装置１００の記憶部１２０は、表示装置情報記憶部１２１を含む。コンテンツサーバ３００の制御部３１０は、店舗情報提供部３１１を含む。また、コンテンツサーバ３００の制御部３１０は、店舗情報登録部３１２を選択的に含む。コンテンツサーバ３００の記憶部３２０は、店舗情報記憶部３２１を含む。
【００５２】
表示装置情報記憶部１２１は、表示装置２００の位置情報を記憶する。また、表示装置情報記憶部１２１は、表示装置情報登録部１１５により端末装置６００から受信された表示装置２００の位置情報をさらに記憶する。さらに、表示装置情報記憶部１２１は、表示装置２００ごとに予め定められた可視範囲を表示装置２００に対応させて記憶しておくようにしてもよい。
【００５３】
店舗情報記憶部３２１は、複数の店舗の位置情報と宣伝情報とを対応させて記憶する。また、店舗情報記憶部３２１は、店舗情報登録部３１２により端末装置６００から受信された店舗の位置情報と宣伝情報とをさらに記憶する。
【００５４】
位置情報取得部１１１は、移動通信端末４００から通信事業者サーバ５００、ネットワーク７００および通信部１５０を介して、移動通信端末４００の位置情報を取得し、取得された位置情報を宣伝情報取得部１１２および判定部１１３に送る。
【００５５】
宣伝情報取得部１１２は、位置情報取得部１１１で取得された移動通信端末４００の位置情報と、移動通信端末４００の半径１ｋｍ以内の店舗を検索するということを示す予め定められた検索条件とを含む検索コマンドを、通信部１５０およびネットワーク７００を介してコンテンツサーバ３００に送信し、移動通信端末４００の半径１ｋｍの範囲内にある店舗の宣伝情報をコンテンツサーバ３００から取得する。
【００５６】
店舗情報提供部３１１は、宣伝装置１００からネットワーク７００および通信部３５０を介して移動通信端末４００の位置情報と検索条件とを含む検索コマンドを受信したことに応じて、移動通信端末４００の半径１ｋｍの範囲内にある店舗の宣伝情報を店舗情報記憶部３２１から抽出し、抽出された宣伝情報を通信部３５０およびネットワーク７００を介して宣伝装置１００に送信する。
【００５７】
判定部１１３は、位置情報取得部１１１で取得された移動通信端末４００の位置情報と表示装置情報記憶部１２１に記憶された複数の表示装置の位置情報と表示装置ごとの可視範囲とから、複数の表示装置のそれぞれについて、移動通信端末４００がその表示装置の可視範囲内にあるか否かを判定する。
【００５８】
宣伝情報送信部１１４は、判定部１１３により移動通信端末４００が表示装置の可視範囲内にあると判定されたときに、店舗情報取得部１１２により取得された宣伝情報を表示装置２００で表示させるための表示コマンドをその表示装置２００に送信する。
【００５９】
表示装置情報登録部１１５は、端末装置６００からの表示装置２００の位置情報の受信に応じて、その位置情報を表示装置情報記憶部１２１に記憶させる。
【００６０】
店舗情報登録部３１２は、端末装置６００からの店舗の位置情報と宣伝情報との受信に応じて、その位置情報と宣伝情報とを店舗情報記憶部３２１に記憶させる。
【００６１】
図４は、第１の実施の形態における宣伝装置１００、コンテンツサーバ３００、端末装置６００および表示装置２００で実行される処理の流れを示すフローチャートである。図４を参照して、まず、端末装置６００では、ステップＳ１１で、表示装置２００の位置情報、あるいは、店舗の位置情報および宣伝情報が、端末装置６００に入力されたか否かが判断される。表示装置２００の位置情報が入力されたと判断された場合は、ステップＳ１２で、表示装置２００の位置情報が宣伝装置１００に送信され、ステップＳ１１に戻る。店舗の位置情報および宣伝情報が入力されたと判断された場合は、ステップＳ１３で、店舗の位置情報および宣伝情報がコンテンツサーバ３００に送信され、ステップＳ１１に戻る。一方、表示装置２００の位置情報、あるいは、店舗の位置情報および宣伝情報が入力されていないと判断された場合は、ステップＳ１１を繰返す。
【００６２】
宣伝装置１００では、ステップＳ２１で、表示装置情報登録部１１５により、表示装置２００の位置情報が端末装置６００から受信されたか否かが判断され、受信されたと判断された場合は、ステップＳ２２で、その位置情報が表示装置情報記憶部１２１に記憶され、ステップＳ２３に進む。一方、受信されていないと判断された場合は、ステップＳ２３に進む。
【００６３】
また、コンテンツサーバ３００では、ステップＳ３１で、店舗情報登録部３１２により、店舗の位置情報および宣伝情報が端末装置６００から受信されたか否かが判断され、受信されたと判断された場合は、ステップＳ３２で、その位置情報および宣伝情報が店舗情報記憶部３２１に記憶され、ステップＳ３３に進む。一方、受信されていないと判断された場合は、ステップＳ３３に進む。
【００６４】
そして、宣伝装置１００では、ステップＳ２３で、位置情報取得部１１１により、移動通信端末４００の位置情報が取得される。次に、ステップＳ２４で、宣伝情報取得部１１２により、ステップＳ２３で取得された移動通信端末４００の位置情報と移動通信端末４００の半径１ｋｍ以内の店舗を検索するということを示す検索条件とを含む検索コマンドが、コンテンツサーバ３００に送信され、移動通信端末４００の半径１ｋｍの範囲内にある店舗の宣伝情報がコンテンツサーバ３００から取得される。
【００６５】
また、コンテンツサーバ３００では、ステップＳ３３で、店舗情報提供部３１１により、宣伝装置１００からの移動通信端末４００の位置情報と検索条件とを含む検索コマンドの受信に応じて、移動通信端末４００の半径１ｋｍの範囲内にある店舗の宣伝情報が店舗情報記憶部３２１から抽出され、抽出された宣伝情報が宣伝装置１００に送信され、ステップＳ３１に戻る。
【００６６】
次に、宣伝装置１００では、ステップＳ２５で、判定部１１３により、ステップＳ２３で取得された移動通信端末４００の位置情報と、表示装置情報記憶部１２１に記憶された表示装置２００の位置情報と表示装置２００ごとの可視範囲とから、複数の表示装置それぞれについて、移動通信端末４００がその表示装置の可視範囲内にあるか否かが判断される。移動通信端末４００が表示装置２００の可視範囲内にある場合は、ステップＳ２６で、宣伝情報送信部１１４により、ステップＳ２４で取得された宣伝情報を宣伝装置２００で表示させるための表示コマンドがその表示装置２００に送信され、ステップＳ２１に戻る。一方、移動通信端末４００がその表示装置２００の可視範囲内にない場合は、ステップＳ２１に戻る。
【００６７】
また、表示装置２００では、ステップＳ４１で、宣伝装置１００から宣伝情報を含む表示コマンドが受信される。そして、ステップＳ４２で、ステップＳ４１で受信された宣伝情報が表示され、ステップＳ４１に戻る。
【００６８】
図５は、第１の実施の形態における宣伝処理の流れを説明するための図である。図５においては、移動通信端末４００が顧客に所持されて、店舗８００Ａ，８００Ｂおよび表示装置２００ａ，２００ｂの近辺を位置４ａ〜４ｄで示す経路で移動する場合を示す。図５を参照して、領域１ａ〜１ｄは、それぞれ、移動通信端末４００が位置４ａ〜４ｄにあるときの移動通信端末４００の第１の範囲である。また、領域２ａ，２ｂは、それぞれ、表示装置２００ａ，２００ｂの第２の範囲である。本実施の形態においては、移動通信端末４００の第１の範囲は、移動通信端末４００の半径１ｋｍの範囲、表示装置の第２の範囲は、表示装置の可視範囲として、説明している。
【００６９】
まず、顧客が位置４ａにいる場合は、移動通信端末４００の第１の範囲である領域１ａ内に、店舗８００Ｂが含まれる。このため、宣伝装置１００においては、店舗８００Ｂの宣伝情報がコンテンツサーバ３００から取得される。さらに、顧客が位置４ａから位置４ｂに移動する間に、移動通信端末４００が表示装置の第２の範囲内に入るか否かが判定され、移動通信端末４００が表示装置の第２の範囲内に入らないまま、位置４ｂに到達する。
【００７０】
そして、顧客が位置４ｂにいる場合は、移動通信端末４００の第１の範囲である領域１ｂ内に店舗８００Ｂが含まれなくなり、店舗８００Ａが含まれるようになる。このため、宣伝装置１００においては、店舗８００Ａの宣伝情報がコンテンツサーバ３００から取得される。さらに、顧客が位置４ｂから位置４ｃに移動する間に、移動通信端末４００が表示装置の第２の範囲内に入るか否かが判定され、移動通信端末４００が表示装置の第２の範囲内に入らないまま、位置４ｃに到達する。
【００７１】
次に、顧客が位置４ｃにいる場合は、移動通信端末４００の第１の範囲である領域１ｃ内に店舗８００Ａが依然として含まれているので、そのまま、店舗８００Ａの宣伝情報が保持される。さらに、顧客が位置４ｃから位置４ｄに移動する間に、移動通信端末４００が表示装置の第２の範囲内に入るか否かが判定され、顧客が位置４ｄに達したときに、表示装置２００ａの第２の範囲である領域２ａ内に入ったと判定される。
【００７２】
最後に、顧客が位置４ｄにいる場合は、移動通信端末４００の第１の範囲である領域１ｄ内に店舗８００Ａが依然として含まれているので、そのまま、店舗８００Ａの宣伝情報が保持される。また、表示装置２００ａの第２の範囲である領域２ａ内に移動通信端末４００が入っているので、コンテンツサーバ３００から取得された店舗８００Ａの宣伝情報が、宣伝装置１００から表示装置２００ａに送信され、表示装置２００ａに表示される。これにより、移動通信端末４００を所持する顧客は、表示装置２００ａの第２の範囲である領域２ａ内の位置４ｄにいるときに、表示装置２００ａに表示された顧客の所持する移動通信端末４００の第１の範囲内である領域４ｄ内にある店舗８００Ａの宣伝情報を見ることになる。
【００７３】
以上、説明したように、第１の実施の形態においては、宣伝装置１００により、移動通信端末４００の位置情報が取得され、その位置情報がコンテンツサーバ３００へ送信される。そして、コンテンツサーバ３００により、その位置情報の受信に応じて、移動通信端末４００の半径１ｋｍの範囲である領域１ｄ内にある店舗８００Ａの宣伝情報が店舗情報記憶手段３２１から抽出され、宣伝装置１００に送信される。次に、宣伝装置１００により、その宣伝情報がコンテンツサーバ３００から取得され、移動通信端末４００の位置情報と表示装置２００の位置情報とから、移動通信端末４００が表示装置２００ａの可視範囲２ａ内にあると判定されたときに、その宣伝情報が表示装置２００ａに送信される。そして、表示装置２００ａにより、その宣伝情報の受信に応じて、その宣伝情報が表示される。このため、移動通信端末４００を所持する顧客の半径１ｋｍの範囲である領域１ｄ内にある店舗８００Ａの宣伝が、顧客が表示装置２００ａの可視範囲２ａ内にいるときに、表示装置２００ａに表示されるので、顧客の位置に近い店舗の宣伝を顧客が見ることができるタイミングで表示することができる。その結果、移動する顧客にタイミングよく宣伝をすることが可能な宣伝システムを提供することができる。
【００７４】
また、第１の実施の形態においては、端末装置６００による店舗の位置情報と宣伝情報との送信に応じて、コンテンツサーバ３００により、その位置情報と宣伝情報とが記憶される。このため、端末装置６００からコンテンツサーバ３００に店舗の位置情報と宣伝情報とを記憶させることができる。
【００７５】
また、第１の実施の形態においては、宣伝装置１００により、複数の表示装置２００ａ，２００ｂそれぞれについて、移動通信端末４００がその表示装置２００ａ，２００ｂの可視範囲内にあるかが判定され、移動通信端末４００が可視範囲内にあると判定された表示装置２００ａに取得された宣伝情報が送信される。このため、移動通信端末４００を所持する顧客が可視範囲内にいる表示装置２００ａに店舗８００Ａの宣伝が送信されるので、顧客が見ることができるタイミングで顧客がみることができる表示装置２００ａに店舗８００Ａの宣伝を送信することができる。その結果、移動する顧客にタイミングよく宣伝をすることができる。また、表示装置が複数あるので、宣伝する機会を増やすことができる。
【００７６】
さらに、第１の実施の形態においては、宣伝装置１００に接続された端末装置６００からの表示装置２００の位置情報の受信に応じて、その位置情報が記憶される。このため、端末装置６００から宣伝装置１００に表示装置２００の位置情報を記憶させることができる。また、表示装置２００を複数登録することにより、宣伝できる店舗を増やすことができ、宣伝可能な範囲を拡大できる。
【００７７】
なお、第１の実施の形態においては、宣伝システムで行なわれる処理について説明したが、図４に示した処理を実行する宣伝装置、宣伝方法、および、図４に示した処理をコンピュータに実行させるための宣伝プログラムとして発明を捕らえることができる。
【００７８】
［第２の実施の形態］
第１の実施の形態においては、店舗の宣伝情報をコンテンツサーバ３００で記憶し宣伝装置１００に提供するようにした。
【００７９】
第２の実施の形態においては、店舗の宣伝情報を宣伝装置１００Ａで記憶し抽出する点が、第１の実施の形態と異なる。
【００８０】
図６は、第２の実施の形態における宣伝装置１００Ａの制御部１１０Ａの機能の概略を示す機能ブロック図である。図６を参照して、宣伝装置１００Ａの制御部１１０Ａは、位置情報取得部１１１と、宣伝情報抽出部１１６と、判定部１１３と、宣伝情報送信部１１４とを含む。宣伝装置１００Ａの記憶部１２０Ａは、表示装置情報記憶部１２１と、店舗情報記憶部１２２とを含む。位置情報取得部１１１と、判定部１１３と、宣伝情報送信部１１４と、表示装置情報記憶部１２１とについては、図３において説明したので説明は繰返さない。また、店舗情報記憶部１２２は、図３で説明した店舗情報記憶部３２１の機能と同様であるので、説明は繰返さない。
【００８１】
宣伝情報抽出部１１６は、位置情報取得部１１１で取得された移動通信端末４００の位置情報と、店舗情報記憶部１２２に記憶された複数の店舗の位置情報とから、移動通信端末４００の半径１ｋｍの範囲内にある店舗の宣伝情報を店舗情報記憶部１２２から抽出する。
【００８２】
図７は、第２の実施の形態における宣伝装置１００Ａおよび表示装置２００で実行される処理の流れを示すフローチャートである。図７を参照して、まず、宣伝装置１００Ａでは、ステップＳ５１で、位置情報取得部１１１により、移動通信端末４００の位置情報が取得される。
【００８３】
次に、ステップＳ５２で、宣伝情報抽出部１１６により、ステップＳ５１で取得された移動通信端末４００の位置情報と、店舗情報記憶部１２２に記憶された複数の店舗の位置情報とから、移動通信端末４００の半径１ｋｍの範囲内にある店舗の宣伝情報が店舗情報記憶部１２２から抽出される。
【００８４】
そして、ステップＳ５３で、判定部１１３により、ステップＳ５１で取得された移動通信端末４００の位置情報と、表示装置情報記憶部１２１に記憶された表示装置２００の位置情報とから、移動通信端末４００が表示装置２００の可視範囲内にあるか否かが判断される。移動通信端末４００が表示装置２００の可視範囲内にある場合は、ステップＳ５４で、宣伝情報送信部１１４により、ステップＳ５２で抽出された宣伝情報を表示装置で表示させるための表示コマンドが表示装置２００に送信され、ステップＳ５１に戻る。一方、移動通信端末４００が表示装置２００の可視範囲内にない場合は、ステップＳ５１に戻る。
【００８５】
また、表示装置２００では、ステップＳ６１で、宣伝装置１００Ａから宣伝情報を含む表示コマンドが受信される。そして、ステップＳ６２で、ステップＳ６１で受信された宣伝情報が表示され、ステップＳ６１に戻る。
【００８６】
以上、説明したように、第２の実施の形態においては、移動通信端末４００の位置情報が取得され、取得された移動通信端末４００の位置情報と記憶された複数の店舗の位置情報とから、移動通信端末４００の半径１ｋｍの範囲内にある店舗の宣伝情報が抽出される。そして、取得された移動通信端末４００の位置情報と記憶された表示装置２００の位置情報とから、移動通信端末４００が表示装置２００の可視範囲内にあると判定されたときに、抽出された宣伝情報が表示装置２００に送信される。このため、移動通信端末４００を所持する顧客の半径１ｋｍの範囲内にある店舗の宣伝が、顧客が表示装置２００の可視範囲内にいるときに、表示装置２００に送信されるので、顧客の位置に近い店舗の宣伝を顧客が見ることができるタイミングで表示装置に送信することができる。その結果、移動する顧客にタイミングよく宣伝をすることが可能な宣伝装置を提供することができる。
【００８７】
なお、第２の実施の形態においては、宣伝装置１００Ａで行なわれる処理について説明したが、図７に示した処理を実行する宣伝方法、および、図７に示した処理をコンピュータに実行させるための宣伝プログラムとして発明を捕らえることができる。
【００８８】
［第３の実施の形態］
第１の実施の形態においては、店舗の宣伝情報を表示装置２００に送信し表示するようにした。
【００８９】
第３の実施の形態においては、店舗の宣伝情報を移動通信端末４００に送信する点が、第１の実施の形態と異なる。
【００９０】
図８は、第３の実施の形態における宣伝装置１００Ｂおよびコンテンツサーバ３００Ａの制御部３１０Ａの機能の概略を示す機能ブロック図である。図８を参照して、宣伝装置１００Ｂの制御部１１０Ｂは、位置情報取得部１１１と、宣伝情報取得部１１２と、宣伝情報送信部１１４Ａとを含む。コンテンツサーバ３００Ａの制御部３１０Ａは、宣伝情報提供部３１１を含む。また、コンテンツサーバ３００の記憶部３２０は、店舗情報記憶部３２１を含む。位置情報取得部１１１と、宣伝情報取得部１１２と、宣伝情報提供部３１１と、店舗情報記憶部３２１とについては、図３において説明したので説明は繰返さない。
【００９１】
宣伝情報送信部１１４Ａは、店舗情報取得部１１２により取得された宣伝情報を、通信部１５０、ネットワーク７００および通信事業者サーバ５００を介して、移動通信端末４００に送信する。また、宣伝情報送信部１１４Ａは、電子メールで宣伝情報を送信してもよい。さらに、宣伝情報として、店舗に関する情報のアドレス情報、たとえば、その情報のＵＲＬ（Ｕｎｉｆｏｒｍ　Ｒｅｓｏｕｒｃｅ　Ｌｏｃａｔｏｒ）を含むようにしてもよい。
【００９２】
図９は、第３の実施の形態における宣伝装置１００Ｂおよびコンテンツサーバ３００Ａで実行される処理の流れを示すフローチャートである。図９を参照して、まず、宣伝装置１００Ｂでは、ステップＳ７１で、位置情報取得部１１１により、移動通信端末４００の位置情報が取得される。
【００９３】
次に、ステップＳ７２で、宣伝情報取得部１１２により、ステップＳ７１で取得された移動通信端末４００の位置情報と移動通信端末４００の半径１ｋｍ以内の店舗を検索するということを示す予め定められた検索条件とを含む検索コマンドが、コンテンツサーバ３００Ａに送信され、移動通信端末４００の半径１ｋｍの範囲内にある店舗の宣伝情報がコンテンツサーバ３００から取得される。
【００９４】
また、コンテンツサーバ３００では、ステップＳ８１で、店舗情報提供部３１１により、宣伝装置１００Ｂからの移動通信端末４００の位置情報と検索条件とを含む検索コマンドの受信に応じて、移動通信端末４００の半径１ｋｍの範囲内にある店舗の宣伝情報が店舗情報記憶部３２１から抽出され、抽出された宣伝情報が宣伝装置１００Ｂに送信され、ステップＳ８１を繰返す。
【００９５】
次に、宣伝装置１００Ｂでは、ステップＳ７３で、宣伝情報送信部１１４Ａにより、ステップＳ７２で取得された宣伝情報が移動通信端末４００に送信され、ステップＳ７１に戻る。
【００９６】
以上、説明したように、第３の実施の形態においては、宣伝装置１００Ｂにより、移動通信端末４００の位置情報が取得され、コンテンツサーバ３００Ａにその位置情報が送信され、移動通信端末４００の半径１ｋｍの範囲内にある店舗の宣伝情報がコンテンツサーバ３００Ａから取得され、その店舗の宣伝情報が移動通信端末４００に送信される。このため、移動通信端末４００を所持する顧客の半径１ｋｍの範囲内にある店舗の宣伝が顧客の移動通信端末４００に送信される。その結果、移動する顧客にタイミングよく宣伝をすることが可能な宣伝装置１００Ｂを提供することができる。
【００９７】
また、第３の実施の形態においては、宣伝装置１００Ｂにより、コンテンツサーバ３００Ａから取得された店舗の宣伝情報が移動通信端末４００に電子メールで送信されるようにしてもよい。このようにすれば、既存の電子メールシステムで店舗の宣伝を送信することができるため、新たに店舗の宣伝を送信するシステムを設置しなくても、容易に店舗の宣伝を送信することができる。
【００９８】
さらに、第３の実施の形態においては、移動通信端末４００に送信される宣伝情報に店舗に関する情報のアドレス情報が含まれるようにしてもよい。このようにすれば、顧客がそのアドレス情報の店舗に関する情報を見ることで、さらに店舗の宣伝をすることができる。
【００９９】
なお、第３の実施の形態においては、宣伝装置１００Ｂで行なわれる処理について説明したが、図９に示した処理を実行する宣伝方法、および、図９に示した処理をコンピュータに実行させるための宣伝プログラムとして発明を捕らえることができる。
【０１００】
［第４の実施の形態］
第３の実施の形態においては、店舗の宣伝情報をコンテンツサーバ３００で記憶し宣伝装置１００Ｂに提供するようにした。
【０１０１】
第４の実施の形態においては、店舗の宣伝情報を宣伝装置１００Ｃで記憶し抽出する点が、第３の実施の形態と異なる。
【０１０２】
図１０は、第４の実施の形態における宣伝装置１００Ｃの制御部１１０Ｃの機能の概略を示す機能ブロック図である。図４を参照して、宣伝装置１００Ｃの制御部１１０Ｃは、位置情報取得部１１１と、宣伝情報抽出部１１６と、宣伝情報送信部１１４Ａとを含む。宣伝装置１００Ｃの記憶部１２０Ｃは、店舗情報記憶部１２２を含む。位置情報取得部１１１については、図３で、宣伝情報抽出部１１６と店舗情報記憶部１２２とについては、図６で、宣伝情報送信部１１４Ａについては、図８で、それぞれ説明したので説明は繰返さない。
【０１０３】
図１１は、第４の実施の形態における宣伝装置１００Ｃで実行される処理の流れを示すフローチャートである。図１１を参照して、まず、宣伝装置１００Ｃでは、ステップＳ９１で、位置情報取得部１１１により、移動通信端末４００の位置情報が取得される。
【０１０４】
次に、ステップＳ９２で、宣伝情報抽出部１１６により、ステップＳ９１で取得された移動通信端末４００の位置情報と、店舗情報記憶部１２２に記憶された複数の店舗の位置情報とから、移動通信端末４００の半径１ｋｍの範囲内にある店舗の宣伝情報が店舗情報記憶部１２２から抽出される。
【０１０５】
そして、ステップＳ９３で、宣伝情報送信部１１４Ａにより、ステップＳ９２で取得された宣伝情報が移動通信端末４００に送信され、ステップＳ９１に戻る。
【０１０６】
以上、説明したように、第４の実施の形態においては、宣伝装置１００Ｃにより、移動通信端末４００の位置情報が取得され、その位置情報と記憶された複数の店舗の位置情報とから、移動通信端末４００の半径１ｋｍの範囲内にある店舗の宣伝情報が抽出され、その店舗の宣伝情報が移動通信端末４００に送信される。このため、移動通信端末４００を所持する顧客の半径１ｋｍの範囲内にある店舗の宣伝が顧客の移動通信端末４００に送信される。その結果、移動する顧客にタイミングよく宣伝をすることが可能な宣伝装置１００Ｃを提供することができる。
【０１０７】
なお、第４の実施の形態においては、宣伝装置１００Ｃで行なわれる処理について説明したが、図１１に示した処理を実行する宣伝方法、および、図１１に示した処理をコンピュータに実行させるための宣伝プログラムとして発明を捕らえることができる。
【０１０８】
今回開示された実施の形態はすべての点で例示であって、制限的なものではないと考えられるべきである。本発明の範囲は上記した説明ではなくて特許請求の範囲によって示され、特許請求の範囲と均等の意味および、範囲内でのすべての変更が含まれることが意図される。
【図面の簡単な説明】
【図１】本発明の実施の形態の１つにおける宣伝システムの概略を示す図である。
【図２】本発明の実施の形態における宣伝装置の構成の概略を示すブロック図である。
【図３】第１の実施の形態における宣伝装置およびコンテンツサーバの制御部の機能の概略を示す機能ブロック図である。
【図４】第１の実施の形態における宣伝装置、コンテンツサーバ、端末装置および表示装置で実行される処理の流れを示すフローチャートである。
【図５】第１の実施の形態における宣伝処理の流れを説明するための図である。
【図６】第２の実施の形態における宣伝装置の制御部の機能の概略を示す機能ブロック図である。
【図７】第２の実施の形態における宣伝装置および表示装置で実行される処理の流れを示すフローチャートである。
【図８】第３の実施の形態における宣伝装置およびコンテンツサーバの制御部の機能の概略を示す機能ブロック図である。
【図９】第３の実施の形態における宣伝装置およびコンテンツサーバで実行される処理の流れを示すフローチャートである。
【図１０】第４の実施の形態における宣伝装置の制御部の機能の概略を示す機能ブロック図である。
【図１１】第４の実施の形態における宣伝装置で実行される処理の流れを示すフローチャートである。
【符号の説明】
１ａ〜１ｄ，２ａ〜２ｄ　領域、４ａ〜４ｄ　位置、１００，１００Ａ〜１００Ｃ　宣伝装置、１１０，１１０Ａ〜１１０Ｃ　制御部、１１１　位置取得部、１１２　宣伝情報取得部、１１３　判定部、１１４，１１４Ａ　宣伝情報送信部、１１５　表示装置情報登録部、１１６　宣伝情報抽出部、１２０，１２０Ａ〜１２０Ｃ　記憶部、１２１　表示装置記憶部、１２２　店舗情報記憶部、１３０入力部、１４０　出力部、１５０　通信部、１６０　外部記憶装置、１６１　記録媒体、２００，２００Ａ，２００ａ，２００ｂ　表示装置、３００，３００Ａ　コンテンツサーバ、３１０，３１０Ａ　制御部、３１１　店舗情報提供部、３１２　店舗情報登録部、３２０　記憶部、３２１　店舗情報記憶部、３５０　通信部、４００，４００Ａ　移動通信端末、５００　通信事業者サーバ、６００
端末装置、７００　ネットワーク、８００Ａ，８００Ｂ　店舗。
【図１】
2004086594.tif 000003
【図２】
2004086594.tif 000004
【図３】
2004086594.tif 000005
【図４】
2004086594.tif 000006
【図５】
2004086594.tif 000007
【図６】
2004086594.tif 000008
【図７】
2004086594.tif 000009
【図８】
2004086594.tif 000010
【図９】
2004086594.tif 000011
【図１０】
2004086594.tif 000012
【図１１】
2004086594.tif 000013